(57)【要約】【課題】商品収納庫の下部前端に外箱と内箱との間に挿入されるパッキンを取付ける構造においても、商品収納庫の前端側の断熱性を低下させることのない自動販売機を提供する。【解決手段】パッキン２０の挿入部２５を隙間１２ｅの前後方向の長さよりも短く形成し、挿入部２５よりも後方の隙間１２ｅには外箱１２ａと内箱１２ｂとの間に介在する第２の断熱材１２ｈを設けたので、第２の断熱材１２ｈによって商品収納庫１２の下部前端側の断熱性を高めることができ、庫内冷却時における熱の侵入及び庫内加熱時における熱の漏洩を効果的に防止することができる。【選択図】図４
2006079152.tif 000002
【特許請求の範囲】
【請求項１】
前面を開口した自動販売機本体と、自動販売機本体の前面を開閉する外扉と、自動販売機本体内に設けられ、外箱と内箱との間に断熱材を介在させることによって形成された商品収納庫と、商品収納庫の前面を開閉する断熱性の内扉とを備え、商品収納庫の下部前端には内扉に密着するパッキンを取付けるとともに、パッキンには外箱の前端側と内箱の前端側との間に前方から挿入される挿入部を設け、パッキンの挿入部が挿入される外箱の前端側と内箱の前端側との間には他の部分よりも上下方向の間隔の狭い隙間を設けた自動販売機において、
前記パッキンの挿入部を前記隙間の前後方向の長さよりも短く形成し、パッキンの挿入部よりも後方の隙間には外箱と内箱との間に介在する断熱材を設けた
ことを特徴とする自動販売機。
【請求項２】
前記内箱の前端に上方に屈曲する屈曲片を設けるとともに、パッキンの上端側には内箱の屈曲片にネジ止めされる取付片を設けた
ことを特徴とする請求項１記載の自動販売機。
【請求項３】
前記商品収納庫内の下部に設けられ、前方に向かって下り傾斜をなすシュート板を備え、
シュート板の前端側にはパッキンの取付片と共に内箱の屈曲片にネジ止めされる取付片を設けた
ことを特徴とする請求項２記載の自動販売機。
【発明の詳細な説明】
【技術分野】
【０００１】
本発明は、例えば缶、ビンまたはペットボトル入り飲料等の商品を販売する自動販売機に関するものである。
【背景技術】
【０００２】
従来、この種の自動販売機としては、前面を開口した自動販売機本体と、自動販売機本体の前面を開閉する外扉と、自動販売機本体内に設けられた断熱性の商品収納庫と、商品収納庫の前面を開閉する断熱性の内扉とを備え、商品収納庫内にはサーペンタイン式の商品収納コラムを設けたものが知られている（例えば、特許文献１参照。）。
【０００３】
前記商品収納庫内には、冷却器及び送風機からなる冷却ユニット及びヒータが設けられ、冷たい商品を販売する場合は冷却ユニットによって収納商品を冷却し、温かい商品を販売する場合はヒータによって収納商品を加熱している。
【０００４】
ところで、前記自動販売機では、図７に示すように商品収納庫１を外箱１ａと内箱１ｂとの間に断熱材１ｃを介在させることによって形成するとともに、商品収納庫１の気密性及び断熱性を保つため、商品収納庫１の前端に内扉２に密着するパッキン３を取付けている。パッキン３は合成樹脂部品によって形成され、商品収納庫１側に保持される硬質の本体部３ａと、内扉２に接触する弾性変形可能な軟質の弾性部３ｂとを一体に成形してなる。また、パッキン３には商品収納庫１の外箱１ａと内箱１ｂとの間に前方から挿入される挿入部３ｃが設けられ、外箱１ａの前端側と内箱１ｂの前端側との間には挿入部３ｃを挿入するための隙間１ｄが設けられている。この場合、隙間１ｄは他の部分よりも上下方向の間隔が狭く形成され、パッキン３の挿入部３ｃは隙間１ｄの前後方向の長さとほぼ同等の長さに形成されている。
【特許文献１】特開２００３−１３２４１５号公報
【発明の開示】
【発明が解決しようとする課題】
【０００５】
しかしながら、前記隙間１ｄにはパッキン３の挿入部３ｃが前後方向の全体に亘って挿入されているため、隙間１ｄに断熱材を設けることができず、商品収納庫１の前端側の断熱性が低下するという問題点があった。
【０００６】
本発明は前記問題点に鑑みてなされたものであり、その目的とするところは、商品収納庫の下部前端に外箱と内箱との間に挿入されるパッキンを取付ける構造においても、商品収納庫の前端側の断熱性を低下させることのない自動販売機を提供することにある。
【課題を解決するための手段】
【０００７】
本発明は前記目的を達成するために、前面を開口した自動販売機本体と、自動販売機本体の前面を開閉する外扉と、自動販売機本体内に設けられ、外箱と内箱との間に断熱材を介在させることによって形成された商品収納庫と、商品収納庫の前面を開閉する断熱性の内扉とを備え、商品収納庫の下部前端には内扉に密着するパッキンを取付けるとともに、パッキンには外箱の前端側と内箱の前端側との間に前方から挿入される挿入部を設け、パッキンの挿入部が挿入される外箱の前端側と内箱の前端側との間には他の部分よりも上下方向の間隔の狭い隙間を設けた自動販売機において、前記パッキンの挿入部を前記隙間の前後方向の長さよりも短く形成し、パッキンの挿入部よりも後方の隙間には外箱と内箱との間に介在する断熱材を設けている。
【０００８】
これにより、パッキンの挿入部が外箱と内箱との間の隙間の前後方向の長さよりも短く形成されるとともに、外箱と内箱との間に挿入された挿入片の後方の隙間には断熱材が設けられていることから、断熱材によって商品収納庫の下部前端側の断熱性が高められる。
【発明の効果】
【０００９】
本発明の自動販売機によれば、商品収納庫の下部前端に外箱と内箱との間に挿入されるパッキンを取付ける構造においても、商品収納庫の前端側の断熱性を低下させることがないので、商品収納庫における熱の侵入及び熱の漏洩を効果的に防止することができる。
【発明を実施するための最良の形態】
【００１０】
図１乃至図６は本発明の一実施形態を示すもので、図１は自動販売機の全体斜視図、図２は外扉及び内扉を開放した自動販売機の全体斜視図、図３は自動販売機の側面断面図、図４はその要部側面断面図、図５はその要部分解側面図、図６はその要部分解斜視図である。
【００１１】
この自動販売機は、前面を開口した自動販売機本体１０と、自動販売機本体１０の前面を開閉する外扉１１と、自動販売機本体１０内に設けられた断熱性の商品収納庫１２と、商品収納庫１２の前面を開閉する断熱性の内扉１３と、商品収納庫１２内に設置された複数の商品収納コラム１４と、商品収納庫１２内の下部に設けられたシュート板１５とを備えている。
【００１２】
自動販売機本体１０は、商品収納庫１２の下方に機械室１０ａを有し、機械室１０ａ内には商品収納庫１２内の冷却ユニットに接続される冷凍機器等（図示せず）が収容されている。
【００１３】
外扉１１は、幅方向一端側を取付板１１ａを介して自動販売機本体１０に回動自在に支持され、その前面には商品サンプル１１ｂ、商品選択スイッチ１１ｃ、硬貨投入口１１ｄ、紙幣投入口１１ｅ、硬貨返却口１１ｆ及び商品取出口１１ｇが設けられている。
【００１４】
商品収納庫１２は前面を開口し、外箱１２ａと内箱１２ｂとの間（下部前端側を除く）に第１の断熱材１２ｃを介在させた断熱壁によって形成されている。商品収納庫１２内には冷却器及び送風機からなる冷却ユニット１６及びヒータ（図示せず）が設けられ、冷たい商品を販売する場合は冷却ユニット１６によって収納商品を冷却し、温かい商品を販売する場合はヒータによって収納商品を加熱するようになっている。冷却ユニット１６の冷却器は冷媒配管１６ａを介して機械室１０ａ内の冷凍機器に接続され、外箱１２ａ及び内箱１２ｂの前端には冷媒配管１６ａを挿通する切り欠き１２ｄが設けられている。また、外箱１２ａの前端側は、内箱１２ｂの前端側との間隔が他の部分（第１の断熱材１２ｃを介在している部分）よりも狭くなるように上方に屈曲しており、内箱１２ｂの前端側との間に後述するパッキン２０を挿入する隙間１２ｅを形成している。更に、内箱１２ｂの前端は上方に延びる屈曲片１２ｆを有し、屈曲片１２ｆにはパッキン２０を取付けるための複数のネジ挿通孔１２ｇが設けられている。
【００１５】
内扉１３は、商品収納庫１２の前面開口部を開閉するように幅方向一端側を自動販売機本体１０に回動自在に支持され、その下部には複数の商品搬出口１３ａが設けられている。
【００１６】
各商品収納コラム１４は、いわゆるサーペンタイン式の周知の構造からなり、商品収納庫１２内に幅方向及び前後方向に複数ずつ設けられている。即ち、各商品収納コラム１４は、上端側の商品投入口１４ａから投入された商品Ａを蛇行状の商品通路１４ｂ内に上下方向に積み重ねて収納し、その下端側の商品搬出機構１４ｃによって下方の商品Ａから順に一つずつ落下搬出するようになっている。
【００１７】
シュート板１５は前方に向かって下り傾斜をなすように形成され、商品収納庫１２内の冷却ユニット１６を上方から覆うように配置されている。この場合、シュート板１５には多数の通気孔１５ａが設けられ、冷却ユニット１６から送風される空気を各通気孔１５ａを介して庫内側に流通するようになっている。また、シュート板１５の前端側には下方に向かって屈曲する取付片１５ｂが設けられ、取付片１５ｂの幅方向複数箇所にはネジ孔１５ｃが設けられている。
【００１８】
また、前記商品収納庫１２の前端下部には、商品収納庫１２の気密性及び断熱性を保つためのパッキン２０が取付けられている。このパッキン２０は合成樹脂部品によって形成され、商品収納庫１２側に保持される硬質の本体部２１と、内扉１３に接触する弾性変形可能な軟質の中空状弾性部２２とを一体に成形してなる。即ち、内扉１３を閉じるとその内面側がパッキン２０の弾性部２２に圧接し、商品収納庫１２の気密が保持されるようになっている。本体部２１は上下方向に平板状に延び、その上端側には商品収納庫１２側に固定される取付片２３が形成され、取付片２３にはネジ挿通孔２３ａが設けられている。本体部２１はその下端から前方の斜め上方に延びるドレン受け２４を有し、ドレン受け２４によって内扉１３から滴下するドレン水を受容するようになっている。また、パッキン２０の背面側には商品収納庫１２の隙間１２ｅに挿入される挿入片２５が設けられ、挿入片２５は取付片２３の背面側から後方に向かって垂直に延びるように形成されている。この場合、挿入片２５の長さＬ1 は隙間１２ｅの長さＬ2 よりも短く形成されており、挿入片２５よりも後方の隙間１２ｅには外箱と内箱との間に介在する第２の断熱材１２ｈが設けられている。また、挿入片２５の下面側には上下方向に弾性変形可能な軟質の弾性部２５ａが設けられ、弾性部２５ａは挿入片２５の先端から基端側に向かって延設されている。
【００１９】
以上のように構成された自動販売機において、商品収納庫１２側にパッキン２０を取付ける場合には、外箱１２ａと内箱１２ｂとの隙間１２ｅにパッキン２０の挿入片２５を挿入し、ネジ２６をパッキン２０のネジ挿通孔２３ａ及び内箱１２ｂのネジ挿通孔１２ｇに挿入してシュート板１５のネジ孔１５ｃに螺合することにより、パッキン２０の取付片２３をシュート板１５の取付片１５ｂと共に内箱１２ｂの屈曲片１２ｆに締結する。その際、挿入片２５の後方の隙間１２ｅには第２の断熱材１２ｈが配置されていることから、第２の断熱材１２ｈによって商品収納庫１２の下部前端側の断熱性が高められる。
【００２０】
このように、本実施形態の自動販売機によれば、パッキン２０の挿入部２５を隙間１２ｅの前後方向の長さよりも短く形成し、挿入部２５よりも後方の隙間１２ｅには外箱１２ａと内箱１２ｂとの間に介在する第２の断熱材１２ｈを設けたので、第２の断熱材１２ｈによって商品収納庫１２の下部前端側の断熱性を高めることができ、庫内冷却時における熱の侵入及び庫内加熱時における熱の漏洩を効果的に防止することができる。
【００２１】
また、内箱１２ｂの前端に上方に屈曲する屈曲片１２ｆを設け、パッキン２０の上端側には内箱１２ｂの屈曲片１２ｆにネジ止めされる取付片２３を設けたので、パッキン２０の挿入片２５を商品収納庫１２の隙間１２ｅに挿入することにより、内箱１２ｂのネジ挿通孔１２ｇと取付片２３のネジ挿通孔２３ａとを確実に位置合わせすることができ、パッキン２０の取付作業を極めて容易に行うことができる。
【００２２】
この場合、パッキン２０の取付片２３をシュート板１５の取付片１５ａと共に内箱１２ｂの屈曲部１２ｆにネジ止めするようにしたので、パッキン２０及びシュート板１５を共通のネジ２６によって内箱１２ｂに固定することができ、パッキン２０及びシュート板１５の着脱作業を極めて容易に行うことができる。例えば、前記自動販売機では、メンテナンスや修理の際に冷却ユニット１６を冷媒配管１６ａごと取外す場合があるが、冷却ユニット１６はシュート板１５の下方に配置され、冷媒配管１６ａはパッキン２０と商品収納庫１２の切り欠き１２ｄとの間を挿通しているため、パッキン２０及びシュート板１５を商品収納庫１２から取外し、メンテナンス等が終了した後に再び取付ける必要があり、このような場合の作業性を格段に向上させることができる。
【図面の簡単な説明】
【００２３】
【図１】本発明の一実施形態を示す自動販売機の全体斜視図
【図２】外扉及び内扉を開放した自動販売機の全体斜視図
【図３】自動販売機の側面断面図
【図４】自動販売機の要部側面断面図
【図５】自動販売機の要部分解側面図
【図６】自動販売機の要部分解斜視図
【図７】従来例を示す自動販売機の要部側面断面図
【符号の説明】
【００２４】
１０…自動販売機本体、１１…外扉、１２…商品収納庫、１２ａ…外箱、１２ｂ…内箱、１２ｃ…第１の断熱材、１２ｅ…隙間、１２ｈ…第２の断熱材、１３…内扉、１５…シュート板、２０…パッキン、２３…取付片、２５…挿入片。
【図１】
2006079152.tif 000003
【図２】
2006079152.tif 000004
【図３】
2006079152.tif 000005
【図４】
2006079152.tif 000006
【図５】
2006079152.tif 000007
【図６】
2006079152.tif 000008
【図７】
2006079152.tif 000009